(57)【要約】本発明は、通信システムにおいて、データのアップリンク通信のために用いられるリソースのスケジューリングを要求するための方法及び装置に関する。もしユーザ装置によるアップリンク制御チャネル上でのスケジューリング要求の繰り返し送信が失敗に終わったと決定されると、ランダムアクセスチャネル上のランダムアクセス送信がフォールバック手順として開始される。【選択図】図４ｂ
2011527135.tif 000002
【特許請求の範囲】
【請求項１】
通信システム（１００）において、ユーザ装置（１０５）からのデータ（２Ｅ）のアップリンク通信のために用いられるリソース（２Ｄ）のスケジューリング要求のための方法であって、
前記ユーザ装置が、アップリンクリソースが付与されない間に前記データと関連して専用アップリンク制御チャネル上を繰り返し送信するスケジューリング要求（２Ｂ）の数は、前記ユーザ装置内において最大限度を示す閾値に達しているか否かを監視（４２５，４３０）することにより制限され、
ランダムアクセスチャネル上のランダムアクセス信号の送信（３Ｃ）は、前記閾値に達することに応じて開始される（４４０）ことを特徴とする、方法。
【請求項２】
送信されるスケジューリング要求の前記数を制限するために用いられる計測を開始するステップ（４０５）と、
前記計測の値が閾値に達しているか否かをチェックするステップ（４３０）と、
もしアップリンクリソースが付与されず、前記計測の値が閾値に達していない場合に、アップリンク制御チャネル上でスケジューリング要求（２Ｂ）を送信し（４３５）、そして前記チェックするステップを繰り返すステップと、
一方、もしアップリンクリソースが付与されず、前記計測の値が前記閾値に達している場合に、前記ランダムアクセスチャネル上でランダムアクセス信号（３Ｃ）を送信するステップ（４４０）と、
を含む、請求項１に記載の方法。
【請求項３】
前記ユーザ装置が現時点において接続しているセルは、前記閾値に達しているとき、セル評価を実行することなく、選択されたセルとして維持される、請求項１または２のいずれかに記載の方法。
【請求項４】
もしアップリンクリソースが付与されず、前記閾値に達しているとき、前記方法は、前記アップリンク制御チャネルリソース及び／又は割当てられた任意のサウンドリファレンスシンボルを解放するステップ（３Ｆ；４３７）をさらに含む、請求項１〜３のいずれか１項に記載の方法。
【請求項５】
もしアップリンクリソースが付与されず、前記閾値に達しているとき、前記方法は、前記アップリンク制御チャネルが解放されているか否かを示す表示を前記ランダムアクセス信号に含むステップをさらに含む、請求項１〜３のいずれか１項に記載の方法。
【請求項６】
通信システム（１００）内で通信するためのユーザ装置（１０５）であって、
送受信機（５００）を備え、
同じアップリンクデータ（２Ｅ）についてアップリンク制御チャネル上でアップリンクリソースが付与されない間に前記ユーザ装置が繰り返し送信するスケジューリング要求（２Ｂ）の数は、制限され、前記ユーザ装置は、最大限度に達しているか否かを監視するように構成され、
前記ユーザ装置は、ランダムアクセスチャネル上のランダムアクセス信号の送信（３Ｃ）を前記最大限度に達することに応じて開始することを特徴とする、ユーザ装置。
【請求項７】
送信されるスケジューリング要求の前記数を制限するために用いられるカウンタ（５３０）を開始するための手段（５０５）と、
前記カウンタの出力（５４５）と前記最大限度を示す閾値（５５０）とを比較し、前記比較の結果に依存して比較出力（５５５）を生成するための手段（５２０，５４０）と、
前記比較出力に基づいて、スケジューリング要求が前記アップリンク制御チャネル上を送信されるべきか否か、又は、ランダムアクセス信号の送信が前記ランダムアクセスチャネル上で行われるべきか否かを決定し（５７０）、それに応じて前記送受信機に指示するための手段と、
を備える、請求項６に記載のユーザ装置。
【請求項８】
アップリンクスケジューリング情報（２Ｄ）を受信し、スケジューリング要求（２Ｂ）をアップリンク制御チャネル上で送信し、そして、ランダムアクセス信号（３Ｃ）をランダムアクセスチャネル上で送信する送受信機（５００）と、
前記送受信機と接続され、どのアップリンクリソースがデータ送信のために利用可能であるかを特定し、前記特定の結果に依存してアップリンクリソース監視出力（５２５，５６０）を生成するアップリンクリソース監視メカニズム（５０５）と、
送信されたスケジューリング要求の前記数を制限するために用いられ、例えば、時間又は送信されたスケジューリング要求の数である計測の値をカウントするカウンタ（５３０）と、
前記最大限度を示す閾値を記憶するためのメモリ（５３０）と、
前記閾値及び前記カウンタの出力を受信し、前記カウンタの前記出力を前記閾値と比較し、比較出力（５５５）を生成するよう構成された比較器（５４０）と、
前記比較出力を受信し、前記比較出力に依存して、スケジューリング要求がアップリンク制御チャネル上で送信されるべきか否か、ランダムアクセス信号の送信がランダムアクセスチャネル上で行われるべきか否かを決定し、それに応じて前記送受信機に指示するよう構成されたスケジューリング要求メカニズム（５７０）と、
を備える、請求項６または７のいずれかに記載のユーザ装置。
【請求項９】
前記最大限度に達したときに、もしアップリンクリソースが付与されない場合、専用アップリンク制御チャネルを開放するようにさらに構成された、請求項６〜８のいずれか１項に記載のユーザ装置。
【請求項１０】
前記ランダムアクセス信号中に、前記ユーザ装置が前記アップリンク制御チャネルを開放していないことを示す情報を含むようにさらに構成された、請求項６〜８のいずれか１項に記載のユーザ装置。
【請求項１１】
前記カウンタは、アップリンク制御チャネル上のスケジューリング要求の前記送信の上にその値を増加させるよう構成される、請求項６〜１０のいずれか１項に記載のユーザ装置。
【請求項１２】
前記カウンタは、前記カウンタが開始されたときからの経過時間を計測するよう構成された、請求項６〜１０のいずれか１項に記載のユーザ装置。
【請求項１３】
通信システム（１００）においてユーザ装置（１０５）と通信し、ランダムアクセス信号（３Ｃ）をユーザ装置から受信するよう構成された無線基地局（１１０）であり、
そこからランダムアクセス信号が受信されるユーザ装置が、スケジューリング要求の送信のための専用アップリンク制御チャネルリソースにアクセスするかどうかを決定する（３Ｇ）よう構成され、
その中で、前記無線基地局は、前記ユーザ装置が、前記スケジューリング要求の送信のための専用アップリンク制御チャネルリソースにアクセスすると決定されたことに応じて、電力制御コマンド（３Ｈ）をユーザ装置に送信するようにさらに構成される、無線基地局。
【請求項１４】
通信システム（１００）においてユーザ装置（１０５）からのデータ（２Ｅ）のアップリンク通信のために用いられるリソース（２Ｄ）のスケジューリング要求のための手順において用いられるコンピュータプログラム製品であって、
前記コンピュータプログラム製品は、前記ユーザ装置がアップリンクリソースが付与されない間に前記データと関連して専用アップリンク制御チャネル上で繰り返し送信するであろうスケジューリング要求（２Ｂ）の数を制限するために、最大限度を示す閾値に達しているか否かを監視する（４２５，４３０）ためのコンピュータコード部を含み、
ファンダムアクセスチャネル（４４０）上で、前記閾値に達したことに応じて、ランダムアクセス信号（３Ｃ）の送信を開始する（４４０）ためのコンピュータプログラムコード部により特徴づけられる、コンピュータプログラム製品。
【請求項１５】
請求項１４に記載の前記コンピュータプログラム製品を記憶し、ユーザ装置（１０５）に備えられるために適したメモリ手段。
【発明の詳細な説明】
【技術分野】
【０００１】
本発明は、データ通信の分野に関し、特に通信システムにおけるアップリンクデータ送信のスケジューリングに関する。
【背景技術】
【０００２】
直交周波数分割多重（ＯＦＤＭ）ベースのロングタームエボリューション（ＬＴＥ）標準に従って動作する通信システムにおいて、データは、ユーザ装置と無線基地局（発展型ノードＢｓ：e-NodeBsと称される。）の間を、異なる通信セッションに動的に割当てられ得る複数の周波数リソース上で送信される。ユーザ装置（ＵＥ）は、スケジューリング要求（ＳＲ）をその時点において接続されているｅ−ＮｏｄｅＢに送信することによって、アップリンク（ＵＬ）データの送信のためのリソースのスケジューリングを要求することができる。そしてｅ−ｎｏｄｅＢは、ＵＬ付与（ｇｒａｎｔ）メッセージをユーザ装置に送信することによって、スケジューリング要求に応答するだろう。ＵＬ付与メッセージは、アップリンクデータが送信される、１又は複数の周波数の情報（アップリンクデータの送信のためのリソースがスケジューリングされたタイミングは、通常、ＵＬ付与メッセージの受信のタイミングによって暗に得られる）を含む。そしてアップリンクデータは、ユーザ装置によって、スケジューリングされた時間／周波数にスケジューリングされたリソース上を送信されるだろう。
【０００３】
ＬＴＥシステムにおいて、ユーザ装置がアクティブになるとき、ユーザ装置は、通常、とりわけスケジューリングされている要求がｅ−ｎｏｄｅＢに送信され得る専用の制御チャネルである、専用物理アップリンク制御チャネル（ＰＵＣＣＨ）を割当てられるだろう。現時点におけるＬＴＥ標準によれば、スケジューリング要求がＰＵＣＣＨチャネル上を送信されるだろう時点の電力は、標準（３ＧＰＰ技術仕様（ＴＳ）３６．２１３，ｖｅｒｓｉｏｎ８．２．０，ｓｅｃｔｉｏｎ５．１．２を参照せよ）において提供される数式に従って特定される。
【０００４】
ＰＰＵＣＣＨ（ｉ）＝ｍｉｎ｛ＰＭＡＸ，Ｐ０＿ＰＵＣＣＨ＋ＰＬ＋ΔＴＦ＿ＰＵＣＣＨ（ＴＦ）＋ｇ（ｉ）｝  ［ｄＢｍ］          （１）
【０００５】
ここで、
・Ｐ０＿ＰＵＣＣＨは、（システム情報ブロック２：ＳＩＢ２において）ブロードキャストされるセル固有のパラメータＰ０＿ＮＯＭＩＮＡＬ＿ＰＵＣＣＨと、無線リソース制御（ＲＲＣ）プロトコル上を専用信号を通してユーザ装置に送信されるＵＥ固有のパラメータＰ０＿ＵＥ＿ＰＵＣＣＨとからなる。Ｐ０＿ＰＵＣＣＨは、通常は時間（ｈｏｕｒｓ）スケールで時々更新される半静的に設定されるパラメータである。Ｐ０＿ＰＵＣＣＨは、干渉を相殺するために用いられる。しかし、Ｐ０＿ＰＵＣＣＨの更新時間のスケールより速い干渉の変化をフォローすることはできない。
・ＰＬは、ＵＥの経路損失の推定値である。
・ΔＴＦ＿ＰＵＣＣＨ（ＴＦ）は、ＲＲＣを通して信号伝達される輸送フォーマット固有の要素に対応する。ΔＴＦ＿ＰＵＣＣＨ（ＴＦ）は、セル中の全てのスケジューリング要求送信について、同じ値をとるが、ＰＵＣＣＨ上を他のタイプの情報が送信されるときには異なる値を取り得る。そして、
・ｇ（ｉ）は、ユーザ装置がｅ−ｎｏｄｅＢ（専用制御情報（ＤＣＩ）フォーマット１，２又は３）から受信した送信電力制御（ＴＰＣ）コマンドの絶対値又は累積値を示す。ＴＰＣコマンドは、セル中におけるノイズ及び干渉レベルの差異を補うように、ユーザ装置の送信電力を調整するために用いられる。
【０００６】
そこで、スケジューリング要求がＰＵＣＣＨチャネル上を送信されるときの送信電力は、半静的なパラメータＰ０＿ＰＵＣＣＨ、ユーザ装置によって生成される経路ロス推定値ＰＬ、輸送フォーマット固有の補償値ΔＴＦ＿ＰＵＣＣＨ（ＴＦ）、及び、ｅ−ｎｏｄｅＢから受信されるＴＰＣコマンドによって決まる。数式（１）は、ユーザ装置が適切な電力で送信を実行し、十分なサービス品質が維持されるように干渉が低く保たれることを保証するために生成されている。
【発明の概要】
【発明が解決しようとする課題】
【０００７】
しかしながら、数式（１）により与えられる送信電力が十分でなく、ユーザ装置が現時点において接続されているｅ−ｎｏｄｅＢがＰＵＣＣＨチャネル上を送信されるスケジューリング要求を取得し損ねる状況が起こりうる。これは例えば、ユーザ装置がアクティブなセル中の干渉が、ｅ−ｎｏｄｅＢからのＴＰＣコマンドの送信のタイムスケールよりも短いタイムスケールで変化するとき、又は、Ｐ０＿ＰＵＣＣＨ更新のタイムスケールよりも短いタイムスケールでＴＰＣコマンドが欠落する場合である。ＴＰＣコマンドは、通常ユーザ装置に送信されるべき動的にスケジューリングされたダウンリンクデータが存在するとき、ユーザ装置に送信される。もし所定期間の間、ユーザ装置に送信されるべき動的にスケジューリングされたダウンリンクデータが存在しないときには、最後に送信されたＴＰＣコマンドは、セル中の現時点における干渉について適切な保証を提供しないだろう。
【０００８】
もしＰ０＿ＰＵＣＣＨとＴＰＣコマンドの組合せが干渉プラスノイズを適切に保証しないとき、ユーザ装置は、同じ電力を消費して、ユーザ装置が付与を得るまでスケジューリング要求を何度も再送するだろう。不運な状況においては、ユーザ装置はｅ−ＮｏｄｅＢに決して届くことのないスケジューリング要求送信の無限ループに陥るかもしれない。スケジューリング要求がその他の理由により失敗するとき、例えば、ユーザ装置が正しいスケジューリング要求の送信に失敗するとき、又はユーザ装置が間違ったリソース上でスケジューリング要求を送信するとき、似た状況が起こり得る。
【０００９】
上記より分かるように、ＬＴＥ標準に従って動作する携帯無線通信システムにおけるスケジューリング要求手順のロバスト性の改善についてのニーズがある。
【００１０】
このニーズは、標準化提案Ｒ２−０８３４３６，３ＧＰＰ−ＲＡＮ  ＷＧ２＃６２ｂｉｓにおいて取り組まれている。そして、無限スケジューリング要求装置の問題は、当初ランダムアクセスチャネル（ＲＡＣＨ）上における無限送信を止めるために標準化されたリカバリー手順の再利用によって解決されるかもしれないことが開示されている。この解決法においては、ＰＵＣＣＨ上におけるスケジューリング要求の問題が確認されるとき、メディアアクセス制御（ＭＡＣ）プロトコルがタイマー又はカウンタに基づいてＲＲＣプロトコルに示す。
【００１１】
そのような問題が確認されると、ＲＲＣはＴ３１２と呼ばれるタイマーを開始する。もしタイマーＴ３１２が期限切れとなる前に、スケジューリング要求がｅ−ＮｏｄｅＢによって正常に受信されると、ＭＡＣはＲＲＣに知らせる。しかしながら、もしタイマーＴ３１２の期限においてリカバリーが起きない場合、ＲＲＣは、例えばランダムアクセスチャネル障害に対処するために用いられる、無線リンク障害のための仕様に従って、さらなるアクションをとるだろう。これについては、ＴＳ３６．３３１  ｖ８．２．０，セクション５．３．１０“無線リンク障害関連アクション”にさらに記述されている。
【００１２】
標準化提案Ｒ２−０８３４３６に記述されている方法は、ユーザ装置が、決して届くことのない無限数のスケジューリング要求が送信される状況に陥らないだろうことを保証しているけれども、非常に高いコストがかかる。Ｔ３１０の期限について標準化された手順を実行するために、多大な時間を必要とし、大量のシグナリングを必要とする。
【００１３】
本発明の目的は、ユーザ装置が多大な又は無限数のスケジューリング要求を不必要に送信する状況に陥ることを防ぐ効果的な方法を見出すことである。
【課題を解決するための手段】
【００１４】
この目的は、通信システムにおいて、ユーザ装置からのデータのアップリンク通信のために用いられるリソースのスケジューリング要求についての方法により達成される。そして、ユーザ装置が、アップリンクリソースが付与されない（ｇｒａｎｔｅｄ）間に上記データと関連して専用アップリンク制御チャネル上を繰り返し送信するであろうスケジューリング要求の数は、最大限度を示す閾値に達しているか否かがユーザ装置中で監視されることにより制限される。上記閾値に達することに応じて、ランダムアクセスチャネル上のランダムアクセス信号の送信は開始される。
【００１５】
目的は、通信システムにおいて通信するユーザ装置によりさらに達成される。ユーザ装置は、ユーザ装置が、アップリンクリソースが付与されない間に同じアップリンクデータと関連してアップリンク制御チャネル上で繰り返し送信するであろうスケジューリング要求の数が制限されるよう構成される。そしてユーザ装置は、最大限度に達しているか否かを監視するよう構成される。ユーザ装置は、上記最大レベルに達することに応じてランダムアクセスチャネル上でランダムアクセス信号の送信を開始するよう構成される。
【００１６】
本発明の方法及び装置により、アップリンク制御チャネル上に設定されたパワーの乏しいユーザ装置に、スケジューリングされたアップリンクリソースを提供するために要求される時間及びシグナリングの双方の大幅な低減が達成される。それによって、ユーザ体験を改善すると共に、ユーザ装置の電力消費と並んで、帯域消費及び通信システムにおける干渉を低減する。本発明の一実施形態を適用することによって、閾値に達した後の時間間隔において、及び、ランダムアクセス信号の送信の開始の前に、無線リソース制御コネクションの再構成手順の実行は必要でないだろう。例えば、ユーザ装置が最大限度値に達するときに接続されているセルは、セル評価を実行することなく、ランダムアクセス手順の間及び後においても選択されたセルの状態を維持するだろう。
【００１７】
ユーザ装置にアップリンク付与を提供するために必要とされる時間は、ユーザ装置と無線基地局との間を送信しなければならないだろう信号が減るという事実によって低減されるのみならず、最大限度を低い値に設定することによっても低減されるだろう。なぜならば、ＰＵＣＣＨ上において、要求手順が失敗であると特定し、スケジューリング要求手順を中止するためのコストが従来技術の解決策よりも小さいからである。限度を低く設定することによるリスクは、それ故に少ない。さらに、ユーザ装置のプロトコルレイヤ間（例えばＭＡＣ及びＲＲＣ間）の内部インタラクションは低減されるだろう。
【００１８】
本発明の方法の一実施形態は、送信されたスケジューリング要求の数を制限するために用いられる計測を開始するステップと、上記計測の値が閾値に達しているか否かをチェックするステップと、もしアップリンクリソースが付与されず、上記計測の値が閾値に達していないとき、アップリンク制御チャネル上でスケジューリング要求を送信して上記チェックするステップを繰り返すステップと、一方もしアップリンクリソースが付与されず上記計測の値が閾値に達しているときには、ランダムアクセスチャネル上でランダムアクセス信号が送信されるステップとを含む。
【００１９】
本発明の一実施形態において、上記アップリンク制御チャネルリソースは、上記閾値に達しているとき、たとえアップリンクリソースが付与されていないとしてもユーザ装置によって保持される。これによって、シグナリングの量のさらなる低減が達成される。なぜならばこれらのリソースは、無線基地局から送信される再構成メッセージにより攻勢される必要がなく、従って、そのようなメッセージのシグナリングの必要性が除かれるからである。この実施形態において、方法は、さらにランダムアクセス信号中にアップリンク制御チャネルが解放されていないことを示す表示（ｉｎｄｉｃａｔｉｏｎ）を含んでもよい。他の実施形態において、アップリンク制御チャネルは、最大限度に達するときに解放される。
【００２０】
目的は、さらにアップリンクリソースのスケジューリング要求のための手順において用いられるコンピュータプログラム製品により達成される。コンピュータプログラム製品は、有利には、ユーザ装置中に含まれるよう構成されたメモリ手段上に記憶されてもよい。
【００２１】
さらに、目的は、通信システムにおいてユーザ装置と通信し、ユーザ装置からランダムアクセス信号を受信するよう構成された無線基地局により達成される。無線基地局は、そのユーザ装置からランダムアクセス信号が受信されるユーザ装置がスケジューリング要求の送信のための専用アップリンク制御チャネルリソースにアクセスするか否かを決定するよう構成される。そして、無線基地局は、さらに、ユーザ装置が専用アップリンク制御チャネルリソースにスケジューリング要求の送信のためにアクセスすると決定されたことに応じて、ユーザ装置に電力制御コマンドを送信するように構成される。電力制御コマンドは、専用アップリンク制御チャネル上のスケジューリング要求信号の電力レベルを高いレベルに設定する指示を含む。本発明の無線基地局によれば、ユーザ装置が送信するときの電力レベルが調整され、それによりさらなるスケジューリング要求送信の失敗のリスクを低減する。
【図面の簡単な説明】
【００２２】
本発明及びそれに関する利点のさらなる完全な理解のために、次に示す記述は、添付の図面と共に参照されるだろう。
【図１】ＬＴＥ標準に従って動作する通信システムの概要図である。
【図２】ユーザ装置がe-nodeBへのスケジューリング要求のシグナリングに２度目の試みで成功するシナリオを描くシグナリング図である。
【図３ａ】ユーザ装置がPUCCH上にてスケジューリング要求の送信を繰り返した後においてもUL-SCH付与を受信しないシナリオにおける本発明の一実施形態に従ったシグナリング図である。
【図３ｂ】図３ａと似たシナリオにおいて、本発明の他の実施形態に従ったシグナリング図である。
【図３ｃ】e-nodeBがPUCCHの電力設定を改善するよう振舞う本発明の一実施形態に従ったシグナリング図である。
【図４ａ】本発明の一実施形態を描くフローチャートである。
【図４ｂ】本発明の他の実施形態を描くフローチャートである。
【図５】本発明に従ったユーザ装置の一実施形態の概要図である。
【発明を実施するための形態】
【００２３】
ＬＴＥ標準に従って動作する携帯無線通信システムが、図１中に概略的に描かれる。図１の通信システム１００は、複数のユーザ装置１０５、及び、下記にe-nodeBs１１０と称される複数の無線基地局１１０を有する。ユーザ装置１０５は、無線インタフェース１１５を介してe-nodeB１１０と無線で通信できてよい。
【００２４】
ＬＴＥ標準に従い、e-nodeB１１０は、ユーザ装置１０５に無線アップリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）上の周期（ｐｅｒｉｏｄｉｃ）リソースを割当てることができる。ＰＵＣＣＨチャネル上のリソースは、例えば、ユーザ装置１０５からe-nodeB１１０へのスケジューリング要求の専用シグナリングのために用いられてよい。
【００２５】
ＰＵＣＣＨ  ＳＲリソースはユーザ装置１０５のために構成されていることを前提とする、本標準に従ったスケジューリング要求シグナリングシナリオが、図２に描かれる。イベント２Ａにおいて、ユーザ装置１０５は、アップリンク上を送信されるデータを検出する。そしてユーザ装置１０５は、アップリンク送信リソースを要求するために、ＰＵＣＣＨ上でスケジューリング要求２Ｂｉをその時点においてユーザ装置１０５が接続されているe-nodeB１１０に送信する。スケジューリング要求２Ｂｉが送信される時点における電力は、数式（１）により決定される。図２に描かれるシナリオにおいて、e-nodeB１１０は、最初のスケジューリング要求２Ｂｉに応答しない。これは、例えば、スケジューリング要求送信の電力がセル中の干渉と比較して低すぎて、e-nodeB１１０がスケジューリング要求２Ｂｉを検出できないためである。ユーザ装置１０５はそしてスケジューリング要求２Ｂｉｉを次の利用可能なＰＵＣＣＨ  ＳＲリソース上で送信する。スケジューリング要求２Ｂｉｉは、スケジューリング要求２Ｂｉと同一であり、同じ電力で送信される（ＳＲリソースは周期的に発生する）。図２のシナリオにおいて、スケジューリング要求２Ｂｉｉは、e-nodeBにより成功裏に受信され、それに応じてアップリンクスケジューリング（ＵＬ−ＳＣＨ）付与メッセージ２Ｄをユーザ装置１０５に送信する。ユーザ装置１０５は、そしてデータ送信２Ｅにおいて、ＵＬ−ＳＣＨ付与メッセージ２Ｄ中に割当てられた送信リソースを用いて、イベント２Ａにおいて検出されたアップリンクデータを送信する。
【００２６】
図２中に描かれるように、現在の標準は、ユーザ装置１０５がスケジューリング要求２Ｂが送信された後であって、次の利用可能なＰＵＣＣＨ  ＳＲリソースの発生の前にＵＬ付与メッセージ２Ｄを受信しない場合に、ユーザ装置１０５によってe-nodeB１１０に同じ電力レベルで、他の同一のスケジューリング要求２Ｂが送信されるだろう。ほとんどの場合、この手順は、e-nodeB１１０がセル中及びセル周辺における干渉状況に重大な影響を与えることなくスケジューリング要求を受信することを保証する。しかしながら、上述の通り、数式（１）により与えられる電力レベルが、セル中の干渉及びノイズレベルと比較して低すぎるため、ユーザ装置１０５からe-nodeB１１０に送信されるスケジューリング要求２Bがe-nodeB１１０により決して検出されない状況、又は、ユーザ装置１０５による多数のスケジューリング要求２Ｂが送信された後しかe-nodeB１１０によりスケジューリング要求２Ｂが検出されない状況が存在し得る。そのような多数の又はエンドレスなスケジューリング要求２Ｂの送信は、通常はめったにないことであるけれども、それが起こるときに引き起こされる問題は重大である。
【００２７】
上述の通り、エンドレスＲＡＣＨの制限を試みるために提案されたタイマーＴ３１２の設定と同様の手順の利用により、エンドレススケジューリング要求送信を制限するシナリオは、標準化提案Ｒ２−０８３４３６において提案されている。しかしながら、エンドレススケジューリング要求の送信を止める要求は充足し、それにより通信システム１００のパフォーマンスを改善するけれども、この手順は、元々スケジューリング要求受信の失敗よりもより重大な問題の解決を目的としているため、遅く、それ自体強いシグナルを発するという欠点を有している。エンドレススケジューリング要求送信を止めるより効果的な方法が以下に記述されるだろう。
【００２８】
本発明によれば、ユーザ装置１０５からの、多数の又はさらにエンドレスなスケジューリング要求送信の問題が、スケジューリング要求信号２Ｂの送信が繰り返し失敗する状況に入ったことをユーザ装置１０５が見つけたときに、ランダムアクセス（ＲＡ）信号をランダムアクセスチャネル（ＲＡＣＨ）上で送信することにより、効果的に解決され得る。
【００２９】
ＲＡＣＨ制御チャネルは、セル中の全てのユーザ装置１０５により共用され、ユーザ装置１０５によって、例えば、起動時の最初のアクセス、又は、セル間のユーザ装置１０５のハンドオーバー、又は、ＰＵＣＣＨ  ＳＲリソースがまだユーザ装置１０５に割当てられていないときにアップリンクデータのための送信リソースを要求するために、ユーザ装置１０５に専用リソースがまだ割当てられないとき、セルのe-nodeB１１０へのシグナリングのために用いられる。ＲＡＣＨは、共用され、コンテンションベースのチャネルであるため、チャネル上の異なるユーザ装置１０５間の衝突のリスクを最小化し、チャネル上の干渉を低く保つために、チャネル上のシグナリング負荷は低く保たれることが望ましい。しかしながら、繰り返しスケジューリング要求の送信に失敗するデッドロック状況を、再確立手順を行わずに打ち破ることによる利点は、ＲＡＣＨ上を送信することによる欠点を上回る。
【００３０】
ユーザ装置１０５が多数の失敗した送信要求を専用ＰＵＣＣＨチャネル上で送信したときにフォールバックとしてランダムアクセス手順を用いることにより、失敗したスケジューリング送信要求の送信が繰り返される状況は、無線リンク失敗手順を用いることなく、効果的に止められる。ＲＡＣＨ上の最初のＲＡ信号が送信されるときの電力は、数式（１）とは異なる数式により与えられる。そして、もしＲＡチャネル上におけるＲＡ信号の送信が失敗し、ＲＡ信号がある理由によりe-nodeBに届かない場合、ユーザ装置１０５は、他のRA信号をより高い電力で送信するだろう。電力は、続くＲＡ信号の送信について、ＲＡ信号がe-nodeBに到達するまで（或いは、最大電力レベルに達するまで、又は、最大数のＲＡ信号が送信され、ＴＳ３６．３３１セクション５．３．７の無線リンク失敗手順が実行されるまで）上昇される。従って、e-nodeBがユーザ装置１０５からの信号を受信する可能性は、現在の標準と比較して飛躍的に改善される。
【００３１】
さらに、無線リンク失敗手順の実行が満了するときに、タイマーＴ３１２を設定する代わりに、ＲＡメッセージをＲＡＣＨ上で送信することにより、回復時間及びシグナリング削減の点で多大な改善が達成される。標準化提案Ｒ２−０８３４３６に示されるように、失敗したスケジューリング要求送信のループを止めるために無線リンク失敗手順に入ることは、本発明に従った方法においては避けることのできる複数のアクションを引き起こす。Ｒ２−０８３４３６に提案される手順において実行しなければならず、本発明の方法が用いられた場合には、実行しなくてよいであろう一連の無線リンク失敗アクションは、まとめてＲＲＣ接続再確立手順と呼ばれる。ＲＲＣ接続再確立は、セル再選択手順と、ＭＡＣのリセットと、全ての無線ベアラ（ＴＳ  ３６．３３１  ｖ８．２．０，セクション５．３．７及び５．７．１０を参照）についての無線リンク制御（ＲＬＣ：Ｒａｄｉｏ  Ｌｉｎｋ  Ｃｏｎｔｒｏｌ）の再確立を含む。これらのアクションは、失敗したスケジューリング要求のループを止めるための本発明の方法を用いるときには、実行される必要がないだろう。ユーザ装置１０５が、閾値に達するときに接続されているセルは、いかなるセル評価も用いることなく、選択されたセルとして維持され得る。そして、ＭＡＣ及びＲＬＣ設定は、計測値が閾値に達する以前の状態に保たれ得る。そのため、ユーザ装置１０５がアップリンクデータを送信するのを待機している人又は機械のユーザ体験は、飛躍的に改善されるだろう。
【００３２】
本発明は、スケジューリング要求がその電力が再送信機会の間に増加されない専用制御チャネル上を通常送信され、送信機会間で電力が増加される制御チャネルが存在するいかなる通信標準にも有利に適用されてよい。電力が再送信機会間で増加されない専用制御チャネルは、その中でＬＴＥ  ＰＵＣＣＨは一例であるが、ここでアップリンク制御チャネルと称される。電力が再送信機会間で増加される制御チャネルは、その中でＬＴＥ  ＲＡＣＨは一例であるが、ここでランダムアクセスチャネルと称される。しかしながら、記述を単純にするために、本発明は以下ＬＴＥ標準の観点から記述され、アップリンク制御チャネルはＬＴＥ  ＰＵＣＣＨにより例示され、一方、ランダムアクセスチャネルは、ＬＴＥ  ＲＡＣＨにより例示される。
【００３３】
図３ａは、e-nodeB１１０が多数のスケジューリング要求２Ｂの送信後においてもユーザ装置２ａからスケジューリング要求２Ｂを検出しないシナリオにおける本発明の一実施形態を描いたフローチャートである。
【００３４】
図３ａのイベント２Ａにおいて、ユーザ装置１０５は、e-nodeB１１０を介してアップリンク上を送信されるデータを検出する。そのようなアップリンクデータの検出において、カウンターはイベント３Ａにおいて開始される。カウンターは、ユーザ装置１０５が失敗したスケジューリング要求２Ｂの繰り返し送信と見なすべきか否か、又は、いつ見なすべきかを決定するために用いられるだろう。カウンターは、例えばカウンターが開始されてからの経過時間の量をカウントするタイマーであってよく、或いは、カウンターが開始されてから送信されたスケジューリング要求の数をカウントするカウンターであってよい。カウンターが開始された後、ユーザ装置１０５は、最初のスケジューリング要求２ＢｉをＰＵＣＣＨチャネル上で送信する（或いは、カウンター開始のイベント３Ａは、最初のスケジューリング要求２Ｂｉ送信の直後、むしろ送信前に起こってもよい）。
【００３５】
図３ａのシナリオ中において、ユーザ装置１０５は、イベント２Ｃｉにおける次のＰＵＣＣＨ  ＳＲリソースの発生前にe-nodeB１１０から応答を受信しない。実際、スケジューリング要求２Ｂの送信は、図２Ｂのシナリオ中において、ユーザ装置１０５がe-nodeB１１０からいかなる応答を受信することなく、複数回発生する。イベント３Ｂにおいて、ｎ回目のスケジューリング要求２Ｂｎの送信後に、イベント３Ａにおいて開始されたカウンターは、最大限度つまりＰＵＣＣＨチャネル上のスケジューリング要求送信の試みが失敗とみなされるべきことを示す閾値に達する。最大限度は、カウンターが開始されてからの、例えば最大時間量であってよく、送信されるスケジューリング要求の最大数であってよい。
【００３６】
カウンターがイベント３Ｂにおいて閾値に達することに応じて、ＲＡ信号３ＣがＲＡチャネル上で送信される。もしこのＲＡ信号３Ｃが図３ａのシナリオのようにe-nodeBによって成功裏に受信されると、e-nodeBは、リソース割当てメッセージ３Ｄを送信することにより応答し、移動端末１０５によりさらなるシグナリングのために用いられるべきリソースを示すだろう。ユーザ装置１０５は、e-nodeB１１０に識別子を示すメッセージ３Ｅを送信することにより応答するだろう。
【００３７】
e-nodeB１１０がメッセージ３Eを受信するとき、e-nodeB１１０は、もし適するアップリンクリソースがセル中において利用可能であれば、ＵＬ−ＳＣＨ付与メッセージ２Ｄをユーザ装置１０５に送信することにより、アップリンクリソースをユーザ装置１０５に付与する。さらに、メッセージ３Ｅの受信において、e-nodeB１１０は、ＲＡ信号３Ｃがすでに専用ＰＵＣＣＨ  ＳＲリソースを割当てられたユーザ装置１０５によって送信されたと認識し、それゆえ、ユーザ装置１０５がＲＡ信号３Ｃを送信する理由は、ＰＵＣＣＨ上におけるスケジュール要求２Ｂの送信が失敗したからであると結論付けることができる。e-nodeBは、例えば、適したＴＰＣコマンドをユーザ装置１０５に送信することによって、或いは、パラメータＰ０＿ＰＵＣＣＨを更新するために（或いは、セル固有パラメータＰ０＿ＮＯＭＩＮＡＬ＿ＰＵＣＣＨが更新されてもよい）、ユーザ装置１０５へのメッセージ中のＵＥ固有のパラメータＰ０＿ＵＥ＿ＰＵＣＣＨの値を更新することによって、そしてユーザ装置１１０についてＰＵＣＣＨの電力設定を改善するように動作する。
【００３８】
もしＲＡ信号３Ｃがe-nodeB１１０により無事に受信されず、ユーザ装置１０５が所定の制限時間内に応答を受け取らない場合、ユーザ装置１０５は、最初のＲＡ信号の送信よりも高い電力レベルで、ＲＡメッセージ３Ｃを再送するだろう。しかしながら、e-nodeB１１０が最終的にＲＡＣＨ上のＲＡ信号を検知する可能性は、ＰＵＣＣＨの電力レベルが十分でないときにＰＵＣＣＨ上で繰り返されるスケジューリング要求の送信を検知する可能性よりもずっと高い。増加する電力レベルにおけるＲＡメッセージの再送は、従来技術の一部であり、図３ａ中には示されていない。
【００３９】
イベント３Ｂにおいてカウンターが閾値に達するとき、ユーザ装置１０５は、ＰＵＣＣＨリソース及び／又は割当てられたサウンドリファレンスシンボル（ＳＲＳ）を保持するか、或いはそのようなリソースを解放する（サウンドリファレンスシンボルは、そういう設定がされている場合にはユーザ装置１０５により送信され、受信するe-nodeB１１０によってアップリンク送信チャネル上の情報を得るために用いられる。）。図３ａに描かれる本発明の一実施形態において、ＰＵＣＣＨ及び／又はＳＲＳリソースは、保持される。ＰＵＣＣＨ及び／又はＳＲＳリソースを保持することの利点は、そのようなリソースを再割当てするために再構成メッセージがe-nodeB１１０から送信される必要がなく、さあｒにシグナリングの量を削減することができることである。しかしながら、ＰＵＣＣＨ及び／又はＳＲＳリソースが解放され、その後再構成される場合であっても、本発明は従来技術と比較すると多大な利点を示す。
【００４０】
ＰＵＣＣＨ及び／又はＳＲＳリソースがユーザ装置１０５により解放される実施形態を描くシグナリング図が図３ｂに示される。図３ｂの手順は、カウンターが閾値に達するイベント３Ｂまでは図３ａの手順と同様である。図３ｂにおいてカウンターが閾値に達するとき、ユーザ装置１０５に割当てられたＰＵＣＣＨリソース及び／又はサウンドリファレンスシンボルは、どれもＲＡＣＨ上でＲＡ信号３Ｃを送信する前に、イベント３Ｆにおいて解放される。一方、ユーザ装置１０５のＰＵＣＣＨ及びＳＲＳリソースが解放されたイベント３Ｆは、ＲＡ信号３Ｃの送信後に起こってもよい。e-nodeB１１０は、ユーザ装置１０５が設定されたＰＵＣＣＨ及びＳＲＳリソースを解放することを知ると、例えばユーザ装置１０５に既知の方法でＰＵＣＣＨ及び／又はＳＲＳリソースを割当てるなど適切なアクションをとることができる。
【００４１】
さらに、ユーザ装置１１０への新しいＰＵＣＣＨリソースの設定において、e-nodeB１１０は、パラメータＰ０＿ＵＥ＿ＰＵＣＣＨの適切な値を選択するときに、ユーザ装置が前にＰＵＣＣＨ上を送信されたときにおける電力が低すぎたという知識を有利に適用することができる。
【００４２】
図３ｃは、ＲＡＣＨ上を送信するユーザ装置１０５がＰＵＣＣＨ  ＳＲリソースにアクセスすることを検知すると、e-nodeBがユーザ装置１１０によりＰＵＣＣＨ送信のために用いられる電力レベルを調整する本発明の一実施形態におけるシナリオの一例を描く。シナリオは、図３ａ及び図３ｂに描かれる実施形態にもそれぞれ適用することができる。図３ｃのイベント３Ｂにおいて、上述のカウンターは閾値に達する。これに応じて、ユーザ装置１０５は、ＲＡ信号３Ｃをe-nodeB１１０に送信する（ＰＵＣＣＨ及び／又はＳＲＳリソースを解放又は維持している間）。図３ａと併せて上述されたように、e-nodeB１１０は、リソース割当てメッセージ３Ｄをユーザ装置１０５に送信することによって応答し、ユーザ装置１０５は次にユーザ装置１０５が識別子を示すメッセージ３Ｅを送信することによって応答する。図３ｃのイベント３Ｇにおいて、e-nodeB１１０は、ユーザ装置１０５がＰＵＣＣＨ  ＳＲリソースにアクセスすることを検出し、そしてユーザ装置１０５がＰＵＣＣＨ上におけるスケジューリング要求の送信に失敗したと結論付ける。e-nodeB１１０は、そして電力調整コマンドをユーザ装置１０５に送信し、ユーザ装置１０５にＰＵＣＣＨ  ＳＲ信号が送信されるレベルまで電力レベルを増加させる。上述の通り、そのような電力調整コマンドは例えばもしＰＵＣＣＨ／ＳＲＳリソースが保持されるときに特に適したＴＰＣコマンドであってよく、または、ユーザ装置１０５がパラメータＰ０＿ＰＵＣＣＨに異なる値を適用することとなるメッセージであってもよい。イベント３Ｇと電力調整コマンドの送信は、メッセージ３Ｅの受信後いつ起きてもよい。
【００４３】
現在の標準に従うと、e-nodeB１１０は、ユーザ装置１０５からＲＡ信号を受信すると、ユーザ装置１０５に新しいタイミングアドバンス（ＴＡ）値を提供するだろう。しかしながら、本発明によれば、ＰＵＣＣＨ及び／又はＳＲＳリソースが解放されても保持されても、e-nodeB１１０は、ＲＡ信号３Ｃが、e-nodeB１１０とまだ同期されている（ＵＬ同期）ユーザ装置１０５により送信されることを識別することができるよう構成されており、ＴＡ値は送信されない。従って、無線インタフェース１１５上を送信されるシグナリングが削減される。
【００４４】
もし通信システム１００が、カウンターが閾値に達するときに、図３ａに描かれるように、ユーザ装置１０５がＰＵＣＣＨ及び／又はＳＲＳリソースを保持すること、或いは、図３ｂに描かれるようにそのようなリソースを解放することを許容するのならば、もしe-nodeB１１０に、ＰＵＣＣＨ及び／又はＳＲＳリソースを割当てられ、e-nodeB１１０がそこからＲＡメッセージ３Ｃを受信する特定のユーザ装置１０５がＰＵＣＣＨ及び／又はＳＲＳリソースを保持するか又はユーザ装置が前に割当てられたＰＵＣＣＨ及び／又はＳＲＳリソースを解放するかを決定する方法があったことは有利であるだろう。ＰＵＣＣＨ及び／又はＳＲＳリソースがユーザ装置１０５により解放されているか否かの表示は、例えばＲＡメッセージ３Ｃ中で送信されるプリアンブルの値により得られる。プリアンブルは、ユーザ装置１０５によって許可されたプリアンブルのグループの中からランダムに選択されたビット列であり、衝突解消を認めるためにＲＡ信号中に含まれる。許可されたＲＡプリアンブルのセットは、ユーザ装置１０５がＰＵＣＣＨ及び／又はＳＲＳリソースを保持するために確保されてもよい。e-nodeB１１０にユーザ装置１０５がＰＵＣＣＨ及び／又はＳＲＳリソースを保持しているか解放しているかを示す他の方法が、代わりに用いられる。いくつかの通信システム１００において、カウンターがイベント３Ｂにおいて閾値に達するとき、ＲＡ信号３Ｃの送信について、ユーザ装置がＰＵＣＣＨ及び／又はＳＲＳリソースを保持すべきか解放すべきかは予め決まっているかもしれない。
【００４５】
図４ａは、本発明の一実施形態に係る方法が描かれたフローチャートである。ステップ４００において、アップリンク上を送信されるデータが検出される。ステップ４０５において、ＰＵＣＣＨ上のスケジューリング要求送信が失敗に終わったと特定される前にＰＵＣＣＨ上を送信されるスケジューリング要求２Ｂの数を制限するためのＳＲ制限計測は、開始される。ＳＲ制限計測は、通常、ＰＵＣＣＨ上を送信されるスケジューリング要求の数であり、このときこの数は、通常ステップ４０５においてゼロに設定される。或いは、ＳＲ制限計測は、計測開始から又はアップリンクデータがステップ４００において検出された後の最初のスケジューリング要求の送信からの経過時間である。ステップ４１５において、ステップ４００において検出されたアップリンクデータにより用いられるＵＬリソースがまだスケジュールされているか否かがチェックされる。もしそうであるならば、スケジューリング要求手順はステップ４２０で終了し、アップリンクデータはスケジュールされたリソース状で送信される。しかしながら、もしＵＬリソースがすでに付与されていない場合には、ステップ４３０において、ＳＲ制限計測の値が閾値に達しているか否かがチェックされる。計測値がＰＵＣＣＨ上を送信されるスケジューリング要求の数であるとき、計測値は、ＰＵＣＣＨ上におけるそれぞれのスケジューリング要求送信後、及びステップ４３０に入った後、増分される。図４ａのフローチャート中において、計測値は、スケジュールされたアップリンクリソースがないとステップ４１５で特定された後に実行されるステップ４２５において増分される。しかしながら、ステップ４２５は、ステップ４３０の閾値チェックの前のいかなるステージにおいても増分されるだろう。さらに、ステップ４２５に示す点線で囲まれたボックスにより示されるように、計測値が、計測がステップ４０５において開始されてからの経過時間の量であるとき、離散的な増分ステップ４２５は存在せず、むしろ計測値は継続的に時間の経過に伴って増加されるだろう。
【００４６】
もし、ステップ４３０において、ＳＲ制限計測値がまだ閾値に達していないと判断されると、スケジューリング要求２ＢがＰＵＣＣＨ上で送信されるステップ４３５が実行される。そしてステップ４１５が再び実行される。もしステップ４３０において、ＳＲ制限計測値が閾値に達していると判断されると、一方、ステップ４４０が実行されるだろう。計測値が、計測がステップ４０５において開始されてからＰＵＣＣＨ上を送信されるスケジューリング要求の数であるとき、閾値は、４，８，１６，３２スケジューリング要求信号２Ｂのうち１つの値を通常とることができる。しかし、他の値もまた用いられてもよい。
【００４７】
ステップ４４０において、ＲＡ信号３ＣがＲＡＣＨ上を送信される。上述のように、ＲＡ信号３Ｃはスケジュール要求信号２Ｂと異なる電力で送信される。さらに、もしユーザ装置１０５がＲＡ信号についてのe-nodeB１１０からの応答を受信しない場合、他のRA信号３Ｃがより高い電力で送信されるだろう。e-nodeB１１０が、すでに専用ＰＵＣＣＨ  ＳＲリソースが割当てられたユーザ装置１０５からのＲＡ信号３Ｃを検出したとき、e-nodeBはユーザ装置にスケジュールするリソースを通常選択するだろう（図３ａ及び図３ｂ参照）。従って、ステップ４４０のＲＡ信号３Ｃの送信を実行することによって、ステップ４３０で検出される、失敗であるＰＵＣＣＨ上のスケジューリング要求送信のループは効果的に解消される。
【００４８】
図４ｂにおいて、ＳＲ制限計測が閾値に達するときに、ユーザ装置１０５が割当てられたＰＵＣＣＨ及び／又はＳＲＳリソースを解放する、本発明の一実施形態を描くフローチャートが示される。ステップ４３５までは、図４ｂは図４ａと同様である。しかしながら、図４ｂにより描かれる実施形態において、ユーザ装置１０５に割当てられるＰＵＣＣＨリソース及び／又はサウンドリファレンスシンボルは、ステップ４３０において制限計測値が閾値に達することが検出されると、ステップ４３７において解放される。ＰＵＣＣＨ及び／又はＳＲＳリソースが解放されるとき、ＲＡＣＨ上をＲＡ信号３Ｃがe-nodeB１１０に送信されるステップ４４０は実行される。閾値に達したときに割当てられたＰＵＣＣＨ及び／又はＳＲＳリソースが解放されるか否かが任意である通信システム１００において、ステップ４４０において送信されるＲＡ信号は、上述のように、ＰＵＣＣＨ及び／又はＳＲＳが解放されているか否かを示す表示を含んでもよい。
【００４９】
図４ａ及び図４ｂのステップ４４０のＲＡ信号が送信されるとき、ユーザ装置１０５は、通常ＰＵＣＣＨ上のスケジューリング要求２Ｂの再送を止める。しかしながら、図４ａに描かれる実施形態において、さらにＰＵＣＣＨ上のスケジューリング要求信号が、ステップ４４０のＲＡ信号３Ｃの送信後においても送信され得る。
【００５０】
図４ａ及び図４ｂの方法は、多くの方法で変更されてもよい。例えば、最初のスケジューリング要求２Ｂは、ステップ４１５においてＵＬリソースがスケジュールされているか否かがチェックされる前に送信されてもよく、ステップ４０５のＳＲ制限計測の開始は、最初のスケジューリング要求の送信後に実行されてもよい。その他色々。
【００５１】
図４ａ及び図４ｂに描かれる方法は、ユーザ装置１０５中において有利に実行される。ステップ４３５のスケジューリング要求の送信が実行された後のステップ４１５の再実行は、それぞれの送信時間間隔（ＴＴＩ：Ｔｒａｎｓｍｉｓｓｉｏｎ  Ｔｉｍｅ  Ｉｎｔｅｒｖａｌ）で有利に実行されてもよい。ステップ４１５において実行されるチェックは、アップリンクリソースが現時点のＴＴＩについてスケジューリングされているか否かのチェックであってもよく、或いは、アップリンクリソースが現時点又は今後のＴＴＩｓについてスケジューリングされているか否かのチェックであってもよい。
【００５２】
図３及び図４に描かれた本発明の方法は、どのプロトコルレイヤで実装されてもよく、例えばＭＡＣ及び／又はＲＲＣの使用により実装されてもよい。
【００５３】
図５は、本発明が適用されたユーザ装置１０５の一例を概略的に描いている。ユーザ装置１０５は、とりわけアンテナ５０１と接続され、シグナリング及びユーザデータの送受信のための送受信機５００を有する。送受信機５００は、さらにとりわけユーザ装置１０５のためにスケジュールされた送信リソース上の情報を送受信機５００を介して受信するよう構成されたＵＬリソース監視メカニズム５０５と接続される。ＵＬリソース監視メカニズム５０５は、さらに、ユーザ装置１０５から送信されるアップリンクデータを検出するよう構成された、ＵＬデータ検出メカニズム５１０と接続される。ＵＬデータ検出メカニズム５１０は、例えばユーザ装置１０５中のユーザアプリケーションの一部であってよく、或いは、ユーザアプリケーションと接続されてもよい。ＵＬデータ検出メカニズム５１０は、シグナル５１５の送信を介して、ＵＬリソース監視メカニズム５０５に検出されたアップリンクデータを知らせるよう構成される。
【００５４】
ＵＬリソース監視メカニズム５０５は、送信するアップリンクデータが検出されたことを示す通知信号５１５の受信について、アップリンクデータのために利用可能なアップリンク送信リソースが存在するか否かを特定するように構成される。もしそうであるならばデータは送受信機を用いて既知の方法で送信される。しかしながら、アップリンクリソースがまだスケジュールされていない場合には、図５のＵＬリソース監視メカニズムは、ＵＬリソース監視メカニズム５０５が接続された比較器メカニズム５２０に信号５２５を送信するように構成される。ＵＬリソース監視メカニズム５０５は、また次のＰＵＣＣＨ  ＳＲリソースが発生するときを監視するように構成することができる。ＵＬリソース監視メカニズム５０５は、そしてもしＵＬリソース監視メカニズム５０５が、次のＰＵＣＣＨ  ＳＲリソースが発生するときに検出されたデータの送信のためにアップリンクリソースが付与されていないことを検出すると、ＵＬリソース監視メカニズム５０５は、さらに信号５２５を比較器メカニズム５２０に再送するように構成されるだろう。
【００５５】
図５の比較器メカニズム５２０は、カウンター５２５と、（通常は所定の）閾値を保持するよう構成されたメモリ５３５と、カウンター５３０の出力５４５及びメモリ５３５の出力５５０が入力され、２つの出力を比較するよう構成された比較器５４０とを有する。比較器５４０は、さらに出力５４５及び出力５５０の比較の結果に応じた出力５５５を生成するよう構成される。
【００５６】
比較器メカニズム５２０のカウンター５３０は、例えばカウンター５３０が開始されてからの経過時間をカウントするよう構成されたタイマーであってよく、又はＵＬリソースメカニズム５０５から比較器メカニズム５２０により受信された信号の数又はカウンター５３０が開始されてからＰＵＣＣＨ上を送信されたスケジューリング要求の数をカウントするよう構成されたカウンターであってもよい。
【００５７】
図５の比較器メカニズム５２０は、比較器５４０がＵＬリソース監視メカニズムから信号５２５を受信することにより動作するように構成されている。もしカウンター５３０がユーザ装置１０５から送信されたスケジューリング要求の数又は比較器メカニズム５２０により受信された信号５２５の数をカウントするように構成されている場合には、比較器メカニズム５２０は、さらに比較器５４０により比較が行われる前又は後に、信号５２５を受信するとカウンター５３０を増分させるよう構成されるだろう（それに応じて閾値は設定されるだろう）。
【００５８】
図５のＵＬリソース監視メカニズム５０５は、成功裏に終わるアップリンクスケジューリング（即ち、ＵＬ−ＳＣＨ付与メッセージ２Ｄの受信）時に、比較器メカニズム５２０に、カウンター５３０の値がゼロに設定されるべきであることを示す信号５６０を送信するよう構成されてもよい。或いは、カウンター５３０がゼロに設定されるべきであることを示す信号５６０は、ＵＬデータが検出された後の最初の信号５２５の送信と関連して送信されてもよい。カウンター５３０がタイマーであるとき、比較器メカニズム５２０は、カウンターがゼロに設定された後に、ＵＬリソース監視メカニズム５０５から受信された最初の信号５２５の受信時に、カウンター５３０を開始するように構成されてよい。カウンター５３０が、ＵＬリソース監視メカニズム５０５から受信される信号の数又は送信されたスケジューリング要求２Ｂの数をカウントするように構成されるとき、カウンター５３０のゼロ設定は、カウンター５３０の開始とみなされてもよく、或いは、開始とは分けて考えられてもよい。信号５２５及び信号５６０は、図５においては異なる信号として描かれているが、信号の中の２つのあり得る値として示されてもよい。
【００５９】
上述のように、比較器メカニズム５２０は、カウンター５３０の値が閾値に達しているか否かを示す出力信号５５５を生成するよう構成される。比較器メカニズム５２０は、さらにこの出力５５５をＳＲメカニズム５７０に供給するよう構成される。そしてＳＲメカニズム５７０は、比較器出力５５５に基づいて、スケジューリング要求２ＢがＰＯＵＣＣＨ上で送信されるべきか、或いは、ＲＡＣＨ上をＲＡ信号３Ｃが送信されるべきであるかを決定するよう構成される。ＳＲメカニズム５７０は、出力５５５がカウンター５３０の値がまだ閾値に達していないことを示すとき、さらに出力５７５を介して、送受信機５００にＰＵＣＣＨ上をスケジューリング要求を送信させ、出力５５５がカウンター５３０の値が閾値に達していることを示すとき、ＲＡＣＨ上をＲＡ信号３Ｃを送信するよう構成される。
【００６０】
図５に描かれるメカニズムは、他の方法で実装されてもよく、図５に示される実施形態は、単なる一例として与えられるものである。例えば、ＳＲメカニズム５７０は送信機５００または比較器メカニズム５２０の一部として実装されてもよく、ＵＬリソース監視メカニズム５０５は比較器メカニズム５２０の一部として実装されてもよいなど。
【００６１】
本発明は現在のe-nodeB１１０にいかなる変更を加えることなく適切に機能するだろうけれども、通信システム１００は、e-nodeB１１０を変更することによってもさらに改善されてもよい。上述の通り、e-nodeB１１０は、ＲＡ信号３Ｃの送信者がＰＵＣＣＨリソースにアクセスすることを確認することによって、ＰＵＣＣＨ上のスケジューリング要求信号２Ｂの失敗に終わる送信を試みるユーザ装置１０５から、ＲＡ信号３Ｃが送信されたと結論づけるよう構成されてよい。e-nodeB１１０は、さらに、そのような結論に応じて及び／又は上述の通りユーザ装置１０５に新しいＴＡ値を送信することを控えることによって、e-nodeB１１０の支配下にある数式（１）のパラメータのいずれかを更新するよう構成されてもよい。ＲＡ信号３Ｃの送信時に、ユーザ装置１０５がＰＵＣＣＨ及び／又はＳＲＳリソースを保持することも解放することもできる通信システム１００において、e-nodeB１１０は、例えばＲＡ信号３Ｃ中に含まれ、ＰＵＣＣＨリソースを解放するユーザ装置１０５のために確保されたプリアンブルのグループに属すると見なされる／属しないとみなされるプリアンブルを確認することによって、ＰＵＣＣＨ及び／又はＳＲＳリソースが保持されているか否かについて、ＲＡ信号３Ｃ中の情報を解釈するよう構成されてもよい。さらに、e-nodeB１１０は、ＰＵＣＣＨ及び／又はＳＲＳを再設定するための再設定メッセージが、ＰＵＣＣＨ及び／又はＳＲＳリソースを保持しているユーザ装置１０５からのＲＡ信号３Ｃに応じて送信されるように構成されてもよい。さらに、e-nodeBはＰＵＣＣＨ及び／又はＳＲＳリソースを解放するユーザ装置からのＲＡ信号３Ｃに応じて、ＰＵＣＣＨ及び／又はＳＲＳリソースがそのようなリソースを必要としているユーザ装置１０５に割当てるために利用可能であることを確認するように構成されてもよい。
【００６２】
ＵＬデータ検出メカニズム５１０、ＵＬリソース監視メカニズム５０５、比較器メカニズム５２０、及びＳＲメカニズム５７０は、ユーザ装置１１０がＰＵＣＣＨ上の送信に失敗したと結論付ける（図３ｃのイベント３Ｇ参照）よう構成されたe-nodeB１１０中のメカニズムと同様に、ハードウェア及びソフトウェアの適切な組合せとして実装されてもよい。
【００６３】
当業者は、本発明は、説明のためのみに示され、複数の異なる方法で実装することができる添付の図面及び前記の詳細な記述中に開示された実施形態に限定されず、下記の特許請求の範囲により定義されることを理解するだろう。
【００６４】
略語
ＤＣＩ：Dedicated Control
Information  専用制御情報
ｅ−ｎｏｄｅＢ：evolved Node B  発展型ノードＢ
ＯＦＤＭ：Orthogonal
Frequency-Division Multiplexing  直交周波数分割多重
ＰＵＣＣＨ：Physical Uplink
Control Channel  物理上りリンク制御チャネル
ＲＡ：Random Access  ランダムアクセス
ＲＡＣＨ：Random Access
CHannel  ランダムアクセスチャネル
ＲＡＮ：Radio Access Network  無線アクセスネットワーク
ＲＬＣ：Radio Link Control  無線リンク制御
ＲＲＣ：Radio Resource
Control  無線リソース制御
ＳＩＢ：System Information
Block  システム情報ブロック
ＳＲ：Scheduling Request  スケジューリング要求
ＳＲＳ：Sounding Reference
Symbols  サウンドリファレンスシンボル
ＴＰＣ：Transmit Power
Control  送信電力制御
ＴＳ：Technical
Specification  技術仕様
ＴＳＧ：Technical
Specification Group  技術仕様化グループ
ＴＴＩ：Transmission Time
Interval  送信時間間隔
ＵＥ：User Equipment  ユーザ装置
ＵＬ：UpLink  アップリンク
ＷＧ：Working Group  ワーキンググループ
【図１】
2011527135.tif 000003
【図２】
2011527135.tif 000004
【図３ａ】
2011527135.tif 000005
【図３ｂ】
2011527135.tif 000006
【図３ｃ】
2011527135.tif 000007
【図４ａ】
2011527135.tif 000008
【図４ｂ】
2011527135.tif 000009
【図５】
2011527135.tif 000010
【国際調査報告】
2011527135.tif 000011
2011527135.tif 000012